(57)【要約】【課題】肉を加熱する環境の温度ができるだけ一様となる肉調理装置を提供すること。【解決手段】ガス吹き出し孔を設けて形成されたバーナー１と、上記バーナーの上方に設けられ上記バーナーで発生させた熱を蓄熱する蓄熱手段３と、肉を載置する肉載置部材６を備える肉調理装置において、上記バーナーの炎の位置する部分の上方に、該バーナーで加熱されて輻射熱を発生させるための輻射部材２を備えることと、上記バーナーの上方に上記蓄熱手段を載置するための蓄熱手段支持網４を備えることと、上記蓄熱手段支持網の一部を被覆する網塞ぎ板５を備えることと、上記蓄熱手段３が上記蓄熱手段支持網と網塞ぎ板の上に載置されることと、上記肉載置部材６が上記蓄熱手段の上方に設けられることを特徴とする肉調理装置とした。【選択図】図１
2019208967.tif 000002
【特許請求の範囲】
【請求項１】
ガス吹き出し孔を有するバーナーと、該バーナーの上方に設けられバーナーで発生させた熱を蓄熱する蓄熱手段と、肉を載置する肉載置部材を備える肉調理装置において、
上記バーナーの炎の位置する部分の上方に、該バーナーで加熱されて輻射熱を発生させるための輻射部材を備えることと、
上記バーナーの上方に上記蓄熱手段を載置するための蓄熱手段支持網を備えることと、
上記蓄熱手段支持網の一部を被覆する網塞ぎ板を備えることと、
上記蓄熱手段が上記蓄熱手段支持網と網塞ぎ板の上に載置されることと、
上記肉載置部材が上記蓄熱手段の上方に設けられることを特徴とする、
肉調理装置。
【請求項２】
上記網塞ぎ板が高温部となる上記蓄熱手段支持網の部位を被覆する板状体であることを特徴とする、請求項１に記載の肉調理装置。
【請求項３】
上記網塞ぎ板が板面の適所に貫通孔を有する板状体であることを特徴とする、請求項１又は２に記載の肉調理装置。
【請求項４】
上記網塞ぎ板が周縁の一部に下方への折曲片を有する板状体であることを特徴とする、請求項１〜３のいずれかに記載の肉調理装置。
【請求項５】
上記網塞ぎ板が中央付近ほど幅広に形成された板状体であることを特徴とする、請求項１〜４のいずれかに記載の肉調理装置。
【請求項６】
上記輻射部材が上記バーナーの上方に配設されている金属棒であり、上方が細く下方が太く形成され、加熱された肉から滴り落ちる液体が上記バーナー上に落ちないように配置されていることと、加熱された肉から滴り落ちる液体を受けて貯留する着脱自在なカス受け容器が上記バーナーの下方に配置されていることを特徴とする、請求項１〜５のいずれかに記載の肉調理装置。
【請求項７】
上記蓄熱手段が上記蓄熱手段支持網の上に互いに重ならないように載置された金属片あるいは岩石片の集まりであることを特徴とする、請求項１〜６のいずれかに記載の肉調理装置。
【請求項８】
上記肉載置部材が隙間を空けて配置された金属棒からなる焼き網であることを特徴とする、請求項１〜７のいずれかに記載の肉調理装置。
【請求項９】
上記肉調理装置の筐体の前面部分が上記バーナー、上記輻射部材、上記蓄熱手段等を直接に収納する筐体の外壁と空間をあけて配置された板で被覆されていることを特徴とする、請求項１〜８のいずれかに記載の肉調理装置。
【発明の詳細な説明】
【技術分野】
【０００１】
本発明は、ステーキ等の肉料理のための調理装置に関するもので、特に、レストラン等において熟練していない調理人であっても失敗せずに調理するための肉調理装置に関するものである。
【背景技術】
【０００２】
ステーキの調理方法は多種多様であり、調理人がプライドをかけて各人の調理方法を実践している。ある高級レストランのシェフは、肉に均一に熱が入るように肉を絶えず動かすこと、肉汁が出てゆかないように肉表面に傷を付けないこと、表面状態を観察することなどを忠告している。しかし高級レストランのシェフであるからこそのコツもあり、料理の良し悪しはシェフの力量にかかることは言うまでもない。
【０００３】
ステーキは高級レストランだけで供されるものではなく、リーズナブルな価格で短時間に多数の客にステーキを提供する大衆的なレストランも存在する。このような店では、短時間に肉を加熱するために肉を鉄のグリルの上に載置し、下方から格子の炭火等で加熱することがある。しかしながら、炭火は温度調節が簡単ではなく温度変化が大きく、温度分布も一様でないので、輻射、対流、熱伝導の状態も刻々と変化する。このような熱源を用いるとき肉の中の焼け具合（レア、ミディアム、ウェルダン）を調節することは至難である。
【０００４】
このような店では熟練していない調理人が調理する場合もある。そのような場合にも失敗することなく、短時間に多数のステーキを提供できなければならない。そのような調理人でも調理に失敗しないようにするためには、調理装置の熱源の温度変動をできるだけ少なくし、かつ温度分布をできるだけ一様にすることが肝要である。
【０００５】
このため、一部のレストランでは、肉を溶岩でできたプレートに載置し、単一の溶岩でできたプレートを一様に加熱してじっくりと肉を加熱することが行われている。この場合でも、従来技術による時は溶岩でできたプレートの温度を所定の温度に保つことはやはり難しく、また調理に時間を要し、大量に肉料理を提供することが困難である。
【０００６】
特許文献１には、石板を使う時、肉類から出る油分が多量の場合には石板の表面に油分が滞留してジューシーな焼き上がりを得ることが出来なかったり、飲食客毎に石板の交換、洗浄を必要とするために洗浄作業等が容易でなかったり、更には、焼肉調理時に発生する焼カス等が面積が広い石板上に堆積すると共に、調理続行時に石板表面の無数の凹部に焼カスが嵌まり込み、除去が困難で洗浄作業が容易でないという問題を解決するべく、内箱に収納したバーナー上方に排気流路を有するようにして、石塊保持用の収納具を支持し、該収納具に多数の石塊を収納し、石塊が発する赤外線で肉を加熱し、そのとき過剰な油分が、個々は小さな石塊から落下し、その深皿状の収納具に油分を貯められる石塊加熱ロースターを開示している。
【０００７】
また、調理時間を短くするために、一部のレストランでは、肉を鉄棒でできたグリルの上に載置し、下の炭火からの輻射と、空気対流と、加熱されたグリルからの熱伝導で、肉を直接に加熱することが行われている。この場合、多数の溶岩片を炭火の中に混在させることもある。溶岩片は、熱源の炭火の温度の時間的変化と、空間的温度分布を均一化するためのものである。このように熱源の中に溶岩片を混在させても、なお温度変化・温度均一性の問題が残っているので、熟練していない調理人にとって、肉（特に厚い肉）の中の焼け具合（レア、ミディアム、ウェルダン）を調節することが容易ではないのが現状であった。
【先行技術文献】
【特許文献】
【０００８】
【特許文献１】特開２００１−１４９２２９号公報
【発明の概要】
【発明が解決しようとする課題】
【０００９】
リーズナブルな価格で短時間に多数の客にステーキを提供する大衆的なレストランにおいては、上記したように熟練していない調理人も肉料理を調理することがある。このような現場では、従来の加熱方法では、温度の時間的変動・空間的不均一性に起因して、調理人が意図したようには肉料理が仕上がらないことがある。
【００１０】
熟練していない調理人でも、一定の品質を保って調理するためには、調理される肉を一様な温度環境で加熱することが重要である。そこで、本発明の第一の課題は、肉を加熱する環境の温度ができるだけ一様で且つ広い範囲となる肉調理装置を提供することである。
【００１１】
肉を焼くとき液体（油分等）が流れ出し、バーナーより上方で滞留する構造の肉調理装置の場合には、そこでバーナーの熱で発火する可能性がある。その火で温度分布が変わり設計した一様な温度分布から外れてしまう場合がある。このような事態が発生すると、熟練していない調理人はそれに対処することに追われ、設定した品質に肉を調理できないことがあり得る。そこで、本発明の他の課題は、肉から流れ出した液体（油分等）の発火の憂いが少なく、同時に保守が容易な調理装置を提供することである。
【００１２】
設定した品質に肉を調理することに専念すると、うっかりして肉調理装置の高温部に触れてしまい火傷をすることがある。そこで、本発明のさらに他の課題は、調理人が触れがちな装置前面の温度が低い肉調理装置を提供することである。
【課題を解決するための手段】
【００１３】
上記した種々の課題を解決するため、本発明は、次の〔１〕〜〔９〕に記載の肉調理装置とした。
〔１〕ガス吹き出し孔を有するバーナーと、該バーナーの上方に設けられバーナーで発生させた熱を蓄熱する蓄熱手段と、肉を載置する肉載置部材を備える肉調理装置において、
上記バーナーの炎の位置する部分の上方に、該バーナーで加熱されて輻射熱を発生させるための輻射部材を備えることと、
上記バーナーの上方に上記蓄熱手段を載置するための蓄熱手段支持網を備えることと、
上記蓄熱手段支持網の一部を被覆する網塞ぎ板を備えることと、
上記蓄熱手段が上記蓄熱手段支持網と網塞ぎ板の上に載置されることと、
上記肉載置部材が上記蓄熱手段の上方に設けられることを特徴とする、
肉調理装置。
〔２〕上記網塞ぎ板が高温部となる上記蓄熱手段支持網の部位を被覆する板状体であることを特徴とする、上記［１］に記載の肉調理装置。
［３］上記網塞ぎ板が板面の適所に貫通孔を有する板状体であることを特徴とする、上記［１］又は［２］に記載の肉調理装置。
［４］上記網塞ぎ板が周縁の一部に下方への折曲片を有する板状体であることを特徴とする、上記［１］〜［３］のいずれかに記載の肉調理装置。
［５］上記網塞ぎ板が中央付近ほど幅広に形成された板状体であることを特徴とする、上記［１］〜［４］のいずれかに記載の肉調理装置。
［６］上記輻射部材が上記バーナーの上方に配設されている金属棒であり、上方が細く下方が太く形成され、加熱された肉から滴り落ちる液体が上記バーナー上に落ちないように配置されていることと、加熱された肉から滴り落ちる液体を受けて貯留する着脱自在なカス受け容器が上記バーナーの下方に配置されていることを特徴とする、上記〔１〕〜［５］のいずれかに記載の肉調理装置。
〔７〕上記蓄熱手段が上記蓄熱手段支持網の上に互いに重ならないように載置された金属片あるいは岩石片の集まりであることを特徴とする、上記〔１〕〜〔６〕のいずれかに記載の肉調理装置。
〔８〕上記肉載置部材が隙間を空けて配置された金属棒からなる焼き網であることを特徴とする、上記〔１〕〜〔７〕のいずれかに記載の肉調理装置。
〔９〕上記肉調理装置の筐体の前面部分が上記バーナー、上記輻射部材、上記蓄熱手段等を直接に収納する筐体の外壁と空間をあけて配置された板で被覆されていることを特徴とする、上記〔１〕〜〔８〕のいずれかに記載の肉調理装置。
【発明の効果】
【００１４】
上記した本発明に係る肉調理装置によれば、肉の調理エリアの温度がかなり一様で且つ広い範囲となる肉調理装置が実現でき、例え熟練していない調理人でも、一定の品質を保って肉を調理することが容易にできる。
【図面の簡単な説明】
【００１５】
【図１】本発明に係る肉調理装置の一実施形態を示した概念的な断面図である。
【図２】図１に示した肉調理装置の内部部品を示した図であって、（ａ）はバーナーの斜視図、（ｂ）は肉調理装置の内部に収められたバーナーの上方に設けられる輻射部材の斜視図である。
【図３】図１に示した肉調理装置の蓄熱手段支持網と網塞ぎ板の上面図及びその一部拡大図である。
【図４】網塞ぎ板の作用・効果を概念的に示した図である。
【図５】網塞ぎ板の他の実施形態を示した斜視図である。
【図６】図１に示した肉調理装置の中に蓄熱手段支持網を配置し、その上に網塞ぎ板を置き、その上を蓄熱手段で敷き詰める前の状態の概念的な斜視図である。
【図７】図１に示した肉調理装置の中に蓄熱手段支持網を配置し、その上に網塞ぎ板を置き、その上を蓄熱手段で敷き詰めた後の状態の概念的な斜視図である。
【図８】図１に示した肉調理装置において肉載置部材を装着した状態の肉調理装置の斜視図である。
【図９】（ａ）は網塞ぎ板を設けない肉調理装置の肉載置部の温度分布を示した赤外線写真像であり、（ｂ）は網塞ぎ板を設けた本発明に係る肉調理装置の肉載置部の温度分布を示した赤外線写真像である。
【発明を実施するための形態】
【００１６】
以下、本発明に係る肉調理装置の実施形態を、図面を参照しながら詳細に説明する。
【００１７】
図１に示すように、本発明に係る肉調理装置は、バーナー１と、該バーナー１の炎Ｆで発生した熱を熱輻射線に変えるための輻射部材２を備える。
上記バーナー１は、ガス吹き出し孔を設けた直線状のパイプ１ａからなり、各バーナー１は、図２の（ａ）に示すように二本のパイプ１ａ，１ａを中央パイプ１ｂで連結され、その中央パイプ１ｂに接続されたガス供給口１ｃに図示しないガス供給部からガスが供給される構成である。また、この実施形態では、各バーナー１は、二本のパイプ１ａ，１ａと中央パイプ１ｂが上方から見ると「工」字形状をなしている。なお、バーナー１を構成するパイプの数は図１に示した６本に限られず例えば４本あるいは２本のパイプで形成することも可能である。さらにバーナー１を構成するパイプの形状は直線状に限られず他の形状とすることも可能である。図２の（ｂ）に肉調理装置の筐体７の内部に収められた状態のバーナー１が示されている。
【００１８】
輻射部材２は、上記バーナー１の直上でそれらと平行に配設されている。輻射部材２は、二本一組の本体輻射部材２ａ，２ａをそれらの中央部が互いに中間輻射部材２ｂによって連結された構成からなり、上方から見るとやはり「工」字形状をなしている。すなわち、上方から見ると「工」字形状をなしているバーナー１を、上方から見ると「工」字形状をなしている輻射部材２が覆うように配設されている。上記輻射部材２は、加熱された肉から滴り落ちる液体Ｓが上記バーナー１の上に落ちないように、上方の幅が狭く下方の幅が広くなる形状を有している。例えば、図１或いは図２の（ｂ）に示すように断面が「ヘ」字状に形成された金属棒、例えばＳＵＳ３０４で形成されている。
【００１９】
また、輻射部材２は、図２の（ｂ）に示すように調理装置の内壁に固定されている輻射部材係止部２ｃに着脱自在に係止される。輻射部材係止部２ｃに着脱自在であるので、該輻射部材２およびバーナー１等の肉調理装置内部の清掃等の保守が容易である。輻射部材２は、バーナー１の熱で加熱され輻射線を四方に放射し、温度分布を均一化するという機能をも有するばかりでなく、加熱された肉から滴り落ちる液体Ｓを図１に示すように上記バーナー１の上に落さないという機能をも有する。
【００２０】
上記バーナー１と輻射部材２の上部には、図１に示すように蓄熱手段３を支持するための蓄熱手段支持網４と網塞ぎ板５が配置されている。図３はこの蓄熱手段支持網４と網塞ぎ板５の上面図であり、この図示した実施形態では蓄熱手段支持網４は二枚の網４ａ，４ａからなっている。図３には蓄熱手段支持網４の下方にバーナー１が破線で示されている。二枚の網塞ぎ板５，５が、上記蓄熱手段支持網４の中央領域でバーナー１と重ならないように、蓄熱手段支持網４の上に載置されている。図３に示すように下方のバーナー１と網塞ぎ板５が一部重なってもよい。この網塞ぎ板５の配置位置は、下方に配置されたバーナー１によって特に高温部となる蓄熱手段支持網４の部位とし、該部位の蓄熱手段支持網４の網目を載置した網塞ぎ板５によって塞ぎ、熱気を左右に分散させる作用を果たすものである。このような作用を果たす網塞ぎ板５を蓄熱手段支持網４に設けることにより、蓄熱手段支持網４の温度分布はかなり一様で且つその一様な温度分布の範囲が広い範囲に亘るものとなる。
【００２１】
バーナー１が４本のパイプから成る場合には、二本一組のパイプの組の中間部分の上方に位置する部位の蓄熱手段支持網４の部分が特に高温部となるため、該部位に一枚の網塞ぎ板５を置くこととなる。この場合の網塞ぎ板５の作用・効果を概念的に図示したものが図４であり、上段は網塞ぎ板を取り付けなかった場合、中段は矩形の板状体からなる網塞ぎ板５を蓄熱手段支持網４の中央領域に取り付けた場合、下段は板面の中央付近に貫通孔５ａを有し且つ中央付近ほど幅広に形成された板状体からなる網塞ぎ板５を蓄熱手段支持網４の中央領域に取り付けた場合をそれぞれ示した図である。なお、図中の破線はバーナー１を示したものである。各場合の温度分布を表した右図に示したように、網塞ぎ板を取り付けなかった場合には、蓄熱手段支持網の中央付近に超高温部が現れ且つ調理の出来る高温部の領域が狭いものとなっている。矩形の板状体からなる網塞ぎ板を取り付けた場合には、該網塞ぎ板によってその部分の熱気の上昇が抑えられ、熱気が網塞ぎ板の左右に分散されることから、超高温部がなくなり且つ調理の出来る高温部の領域が広がったものとなる。板面の中央付近に貫通孔を有し且つ中央付近ほど幅広に形成された板状体からなる網塞ぎ板を取り付けた場合には、中央付近に形成された貫通孔から熱気の一部が流れ且つ中央付近ほど幅広に形成された網塞ぎ板によって熱気は中央付近ほどより遠くまで分散させられることとなり、超高温部がなくなり且つ調理の出来る高温部の領域がより広がったものとなる。上記のように、網塞ぎ板５はバーナー１で加熱された熱気を分散させる作用を果たすものであり、該網塞ぎ板の幅を変えたり、上記したように形状を変えたり、板面に貫通孔を開けたりすることで、使用者がより使い易い温度分布を実現することができる。また、図５に示したように、網塞ぎ板５の周縁の一部に下方への折曲片５ｂを有する板状体としてもよい。この場合には、熱気が折曲片５ｂによって遮られ、その方向への熱気の流れを制限することが可能となり、また該折曲片５ｂを形成することによって網塞ぎ板の強度向上を図ることができる。
【００２２】
上記蓄熱手段支持網４と網塞ぎ板５の上には、図６と図７に示すように蓄熱手段３が置かれる。蓄熱手段３は、金属片あるいは岩石片であり、好ましくは溶岩片である。また、蓄熱手段３は、図１に示すように互いに重ならないように一層にして、かつ蓄熱手段支持網４と網塞ぎ板５の上に均等に配置される。この結果、蓄熱手段３である全ての金属片あるいは岩石片の下面が蓄熱手段支持網４と網塞ぎ板５に接触し、均等に加熱される。蓄熱手段３である金属片あるいは岩石片が均等に加熱され昇温するので、それらの表面から赤外線を含む輻射線が均等に放射される。また金属片または岩石片の熱容量により温度の時間変化が緩慢となるので、調理温度が急変せず、調理が容易となる。
【００２３】
図６と図７に示すように配置された蓄熱手段３は、バーナー１の燃焼ガスによって直接に加熱される熱対流加熱と、加熱された蓄熱手段支持網４および網塞ぎ板５との接触による熱伝導加熱によって加熱される。網塞ぎ板５の作用により、上記したように蓄熱手段支持網４および網塞ぎ板５上の温度分布はかなり一様となっているので、蓄熱手段３も一様な温度となる。
【００２４】
図７に示すように蓄熱手段３を配置した後、図８に示すように肉載置部材６を肉調理装置の上面に装着する。肉載置部材６は、その温度分布を均一化するためにアルミニウム、銅、鉄等の熱伝導率が大きい金属で形成することが好ましい。また、肉載置部材６の形状は、温度分布均一化の観点からと熱効率の観点からは、図８に概念的に示すように平行に配置された金属棒からなるグリッドとして形成することが好ましい。
【００２５】
肉載置部材６は、バーナー１の燃焼ガスによって直接に加熱される熱対流加熱と、加熱された蓄熱手段支持網４および網塞ぎ板５との接触により加熱されて温度分布がかなり一様となっている蓄熱手段３からの熱輻射により加熱される。この結果、肉載置部材６の温度分布は一様となり、その上に載置されて調理される肉Ｎは一様に加熱される。それと同時に、蓄熱手段３の温度変化が少ないので、輻射熱は変動せず、肉Ｎは時間的にも一定に加熱される。
【００２６】
加熱された肉Ｎから出る肉汁等の液体Ｓは下方の加熱された蓄熱手段３によってその一部が燃えてしまうが、燃えなかったものおよび他のカスはさらに下方に落下する。この落下した液体Ｓ等は上記したように輻射部材２によってバーナー１の上に落下することは遮られ、バーナー１より下方に設けられているカス受け１１（図１）に溜まる。カス受け１１は着脱自在に装置の下部に装着され、仕事を始める前にカスを取り出しておく。カス受け１１は、広く平らな容器に液体が入ったものを移動することは困難なので、２以上に分割した小さな容器１１ａ，１１ａの集合体の構造とすることが、取り扱いが容易で好ましい。
【００２７】
調理人がうっかりと肉調理装置の高温部に触れると火傷することがある。これ故、高温部に常に注意していなければならないが、そうすると調理が疎かとなりがちになるという問題が生じる。本発明では、図８に示すように肉調理装置の上記バーナー１、上記蓄熱手段３等を収納する筐体７の前面は、筐体７の外壁との間に空間８ａをあけて配置された熱遮蔽板８で被覆されている。また、図８の実施形態では、装置を操作するためのコック９類は筐体７の前面下部に配置されている。
【００２８】
本発明に係る肉調理装置は、上記した構成とすることにより肉載置部材６における温度は空間的にかなり一様であり、また時間的変動も少ないので、バルブを細かく調整してバーナー１の温度調節する必要がない。その結果、火力を「強火」、「中火」、「弱火」に設定する３段階式のバルブを採用することも可能である。この場合、強火で立ち上げ、立ち上がり後の調理は中火で行う。そしてアイドルタイムでは弱火にすることで省エネの効果も得られる。なお、ガスの立ち消えによる事故を防止するため、肉調理装置内に適宜に熱電対を配置して、ガスの立ち消えの際には自動的にガスを止める等の安全手段は必用である。
【００２９】
そして、上記した火力調整が３段階式の場合、調理をマニュアル化することも容易になり、経験の少ない調理人を雇用できるという効果がある。本発明に係る肉調理装置においては、蓄熱手段３の温度を均一且つ一定として、蓄熱手段３からの熱の放射を一定とし、また肉Ｎの周辺の雰囲気の温度を一定として、肉載置部材６からの熱伝導による加熱条件を一定とし、対流による加熱条件も一定としている。この結果、肉の種類・大きさ・形状が同じであれば、毎回ほぼ同様に肉の内部温度は変化する。これ故、肉の種類・大きさ・形状・肉の仕上がり毎に、必要加熱時間を表形式でマニュアル化することにより、誰が調理しても客の要望通りの肉を失敗無く迅速に焼くことができる。既に述べたように、マニュアルは紙形式にする必要はなく、組み込みマイクロコンピュータの中のプログラムのデータとしても実現できる。
【００３０】
例えば、内部がレア・ミディアム・ウェルダンになるための時間が毎回同じとなる。従って、肉の厚さ（例えば１５ｍｍ、２０ｍｍ・・・）と肉の重量（例えば１５０ｇ、２００ｇ・・・）等の組み合わせ毎に、内部がレア・ミディアム・ウェルダンになるための時間の表を予め作成できることを意味する。この表を使うことにより、調理人が熟練者であっても、非熟練者であっても、同じように肉Ｎを調理できる。
【００３１】
図９の（ａ）は上記した網塞ぎ板５を設けない肉調理装置の肉載置部材６の温度分布を示す赤外線写真像であり、（ｂ）は網塞ぎ板５を設けた本発明に係る肉調理装置の肉載置部材６の温度分布を示す赤外線写真像である。図９（ａ）から分かるように網塞ぎ板がない場合、顕著な高温部（図中の黒塗り部）が中央に有り、肉を調理することが可能な高温部（調理エリアＡ）の範囲も狭い。他方、網塞ぎ板５がある場合は、（ｂ）から分かるように高温部（調理エリアＡ）が長く伸びていて全体としてほぼ楕円形の温度分布を広く呈している。これは、本発明に係る肉調理装置の肉載置部材６の温度が網塞ぎ板５を設けない場合と比較して一様であることを示している。
【００３２】
また、網塞ぎ板５を設けた肉調理装置の一つの実施例では、ガス消費量（２４〜３６ｋＷ）の場合、強火１５〜２０分で調理面の調理エリアＡの温度は３９０℃以上になった。強火は立ち上がりのみで使った。中火にすると３００〜３４０℃が維持される。弱火にすると２６０〜２９０℃が維持された（ＬＰＧの場合）。
【００３３】
一方、熱遮蔽板８がないとき、同じ形式の肉調理装置前面の上部、中部、下部の温度はそれぞれ「１００〜２００℃」、「７０〜８０℃」、「５０〜６０℃」であったが、熱遮蔽板８を設けたときの対応する位置における温度はそれぞれ、「５０〜７０℃」、「５０〜６０℃」、「４０〜５０℃」と低温であった。
【００３４】
なお、蓄熱手段３として日本の溶岩片を使うと、その原因は未だ究明されていないが遠赤外線が多く発生し、肉の中身は「ジューシー」、表面は「カリッ」とした焼き上がりになると評価する調理人がいた。
【００３５】
以上、本発明に係る肉調理装置を詳しく説明してきたが、本発明の適用対象は図面に例示されたものに限られず、同じ技術思想で他の形態の装置として実施することも可能であることは言うまでもない。
【産業上の利用可能性】
【００３６】
本発明に係る肉調理装置は、客の好みの量の肉料理を安価に提供することを目的とする外食産業、特にフランチャイズチェーン店における肉料理の調理装置として、好適に利用することができる。
【符号の説明】
【００３７】
１    バーナー
１ａ    パイプ
１ｂ    中央パイプ
１ｃ    ガス供給口
２    輻射部材
２ａ    本体輻射部材
２ｂ    中間輻射部材
２ｃ    輻射部材係止部材
３    蓄熱手段
４    蓄熱手段支持網
４ａ    網
５    網塞ぎ板
５ａ    貫通孔
５ｂ    折曲片
６    肉載置部材
７    筐体
８    熱遮蔽板
９  コック
１１    カス受け容器
Ａ    調理エリア
Ｆ    炎  
Ｓ    液体
Ｎ    肉
【図１】
2019208967.tif 000003
【図２】
2019208967.tif 000004
【図３】
2019208967.tif 000005
【図４】
2019208967.tif 000006
【図５】
2019208967.tif 000007
【図６】
2019208967.tif 000008
【図７】
2019208967.tif 000009
【図８】
2019208967.tif 000010
【図９】
2019208967.tif 000011